(57)【要約】【課題】　複数の画像入力装置によって得られる画像を画面上で見ながら視線を大幅に移動させることなく、その画面上において複数の画像入力装置の制御を可能とする。【解決手段】　マウス６の操作に応答して表示装置２上の任意の位置にカーソルを表示させるとともに、マウス６のクリック操作に応答して制御要素４を表示装置２上に表示させ、カーソルが画像表示ウインドウ３内に位置しているときにマウスのクリック操作があり、そのクリック操作が複数の画像表示ウインドウ上でなされた場合は、各カメラ１、１０に対応する制御要素４、１７を画像表示ウインドウ３、１１にそれぞれ重ねて複数表示させる。【選択図】　図４
2004140858.tif 000002
【特許請求の範囲】
【請求項１】
　パン、チルト、ズーム、焦点距離、露出の少なくとも１つの変更動作が可能な複数のカメラから得られる画像情報を表示するための複数の画像ウインドウと、前記変更動作を操作するための制御要素を表示装置の画面上に表示させる表示手段と、
　前記表示手段により表示される制御要素の操作に応じて前記複数のカメラの前記変更動作を制御する第１の制御手段と、
　操作入力装置からの第１の入力に応答して前記画面上の任意の位置に識別子を表示させるとともに、前記操作入力装置からの第２の入力に応答して前記制御要素を前記画面上に表示させる第２の制御手段とを有し、
　前記識別子が画像ウインドウ内に位置しているときに前記操作入力装置からの第２の入力があり、その第２の入力が複数の画像ウインドウ上でなされた場合、前記第２の制御手段は、各カメラに対応する前記制御要素を前記各画像ウインドウにそれぞれ重ねて複数表示させることを特徴とするカメラ制御装置。
【請求項２】
　前記識別子が画像ウインドウ内に位置しているときに前記操作入力装置からの第２の入力があった場合、前記第２の制御手段は、前記制御要素を前記画像ウインドウの中央に重ねて表示させることを特徴とする請求項１に記載のカメラ制御装置。
【請求項３】
　前記第１の制御手段は、前記制御要素上での前記識別子の位置と前記第２の入力に応じて、前記カメラの前記変更動作を制御することを特徴とする請求項１または２に記載のカメラ制御装置。
【請求項４】
　前記第２の制御手段は、前記制御要素を半透明にして前記画像ウインドウに重ねて表示させることを特徴とする請求項１〜３のいずれかに記載のカメラ制御装置。
【請求項５】
　パン、チルト、ズーム、焦点距離、露出の少なくとも１つの変更動作が可能な複数のカメラから得られる画像情報を表示するための複数の画像ウインドウと、前記変更動作を操作するための制御要素を表示装置の画面上に表示させ、前記表示された制御要素の操作に応じて前記複数のカメラの前記変更動作を制御可能なカメラ制御装置のウインドウ表示方法であって、
　操作入力装置からの第１の入力に応答して前記画面上の任意の位置に識別子を表示させるとともに、前記操作入力装置からの第２の入力に応答して前記制御要素を前記画面上に表示させ、前記識別子が画像ウインドウ内に位置しているときに前記操作入力装置からの第２の入力があり、その第２の入力が複数の画像ウインドウ上でなされた場合は、各カメラに対応する前記制御要素を前記各画像ウインドウにそれぞれ重ねて複数表示させることを特徴とするカメラ制御装置のウインドウ表示方法。
【請求項６】
　前記識別子が画像ウインドウ内に位置しているときに前記操作入力装置からの第２の入力があった場合、前記制御要素を前記画像ウインドウの中央に重ねて表示させることを特徴とする請求項５に記載のカメラ制御装置のウインドウ表示方法。
【請求項７】
　前記制御要素上での前記識別子の位置と前記第２の入力に応じて、前記カメラの前記変更動作を制御することを特徴とする請求項５または６に記載のカメラ制御装置のウインドウ表示方法。
【請求項８】
　前記制御要素を半透明にして前記画像ウインドウに重ねて表示させることを特徴とする請求項４〜７のいずれかに記載のカメラ制御装置のウインドウ表示方法。
【発明の詳細な説明】
【技術分野】
【０００１】
　本発明はカメラ等の画像入力装置を制御する制御装置に監視、より具体的にはテレビ会議やテレビ電話等の画像通信端末並びに遠隔監視装置等の画像入力装置を制御するカメラ制御装置及びカメラ制御装置のウインドウ制御方法に関する。
【背景技術】
【０００２】
　図８は、従来のテレビ会議用端末装置を示す正面図である。カメラ１１１は使用者１１２を撮影するためのものであり、表示装置１１４上に設置されている。表示装置１１４の画面には、周知のウインドウ表示システムにより多数のウインドウを開くことができる。図８では、カメラ１１１による使用者１１２の撮影画像を表示する自画像ウインドウ１１６が中央に配置され、その横に、カメラ１１１を操作するためのカメラ制御ウインドウ１１８が配置されている。自画像ウインドウ１１６の背面に他のウインドウ１２０（ここでは時計を表示するウインドウ）が配置されている。
【０００３】
　１２２は表示装置１１４の画面上の任意の位置を指定または入力するためのマウス、１２３はマウス１２２に対応して表示装置１１４の画面に表示されるカーソルである。制御ウインドウ１１８内に表示される制御要素をマウス１２２で選択および操作することにより、カメラ１１１の電源オン／オフ、左右上下へのパンニング／チルティング動作、焦点距離、露出およびズーム等を調節できる。２４はキーボード、２６は音声入力用のマイクである。
【０００４】
　通常、使用者１１２は表示装置１１４の正面に座っている。マウス１２２またはキーボード１２４によりカメラ１１１の電源をオンすると、自画像ウインドウ１１６が表示装置１１４の画面中央に設定される。カメラ１１１による撮影画像は、左右反転されて自画像ウインドウ１１６に表示される。これにより、使用者１１２はカメラ１１１の作動状態および自身の映り具合を確認できる。
【０００５】
　本願の関連技術としては、特許文献１−４がある。
【特許文献１】特開平０４−３０２５８７号公報
【特許文献２】特開平０４−３７３３８６号公報
【特許文献３】特開平０４−３２３９９０号公報
【特許文献４】特開平０４−２４０９８６号公報
【発明の開示】
【発明が解決しようとする課題】
【０００６】
　従来例では、カメラ制御ウインドウ１１８は、通常、自画像ウインドウ１１６の邪魔にならない位置に配置される。したがって、使用者１１２は、カメラ１１１を調節するとき、自画像ウインドウ１１６を見る視線の方向１２８ａと、カメラ制御ウインドウ１１８を見る視線の方向１２８ｂとの間で視線を大きく、かつ頻繁に移動しなければならない。
【０００７】
　このような課題は、また、画像通信相手からの画像を受信画像ウインドウで見ながら、相手端末のカメラを操作するときも同様である。さらには、監視カメラ等を遠隔操作するときも同様である。
【０００８】
　上記課題を考慮して、本発明は、画像入力装置によって得られる画像を見ながら視線を大幅に移動させることなく、画像入力装置の制御を可能とするカメラ制御装置及びカメラ制御装置のウインドウ制御方法を提供することを目的とする。
【０００９】
　また、画面上に少なくとも２つの画像ウインドウおよびその画像ウインドウに対応する制御ウインドウが表示されている際に、現在制御対象となっているカメラを認識することが容易となる、カメラ制御装置及びカメラ制御装置のウインドウ制御方法を提供することを目的とする。
【課題を解決するための手段】
【００１０】
　上記目的を達成するために、本発明のカメラ制御装置は、パン、チルト、ズーム、焦点距離、露出の少なくとも１つの変更動作が可能な複数のカメラから得られる画像情報を表示するための複数の画像ウインドウと、前記変更動作を操作するための制御要素を表示装置の画面上に表示させる表示手段と、前記表示手段により表示される制御要素の操作に応じて前記複数のカメラの前記変更動作を制御する第１の制御手段と、操作入力装置からの第１の入力に応答して前記画面上の任意の位置に識別子を表示させるとともに、前記操作入力装置からの第２の入力に応答して前記制御要素を前記画面上に表示させる第２の制御手段とを有し、前記識別子が画像ウインドウ内に位置しているときに前記操作入力装置からの第２の入力があり、その第２の入力が複数の画像ウインドウ上でなされた場合、前記第２の制御手段は、各カメラに対応する前記制御要素を前記各画像ウインドウにそれぞれ重ねて複数表示させることを特徴とする。
【００１１】
　また、本発明のカメラ制御装置のウインドウ表示方法は、パン、チルト、ズーム、焦点距離、露出の少なくとも１つの変更動作が可能な複数のカメラから得られる画像情報を表示するための複数の画像ウインドウと、前記変更動作を操作するための制御要素を表示装置の画面上に表示させ、前記表示された制御要素の操作に応じて前記複数のカメラの前記変更動作を制御可能なカメラ制御装置のウインドウ表示方法であって、操作入力装置からの第１の入力に応答して前記画面上の任意の位置に識別子を表示させるとともに、前記操作入力装置からの第２の入力に応答して前記制御要素を前記画面上に表示させ、前記識別子が画像ウインドウ内に位置しているときに前記操作入力装置からの第２の入力があり、その第２の入力が複数の画像ウインドウ上でなされた場合は、各カメラに対応する前記制御要素を前記各画像ウインドウにそれぞれ重ねて複数表示させることを特徴とする。
【発明の効果】
【００１２】
　本発明によれば、画像入力装置によって得られる画像を画面上で見ながら視線を大幅に移動させることなく、その画面上において画像入力装置の制御が可能となる。
【００１３】
　さらに、制御ウインドウの少なくとも画像ウインドウにオーバーラップする部分を半透明表示することで、画像ウインドウの上に制御ウインドウを開いても、画像ウインドウ上に映し出されている画像を確認することができる。
【００１４】
　さらにまた、画面上に少なくとも２つの画像ウインドウおよびその画像ウインドウに対応する制御ウインドウが表示されている際に、それぞれの制御ウインドウの透明度を変えることにより、現在制御対象となっているカメラを認識することが容易となる。
【発明を実施するための最良の形態】
【００１５】
　以下、本発明の実施例を図面を用いて詳細に説明する。図１は本発明の一実施例を示す正面図である。画像入力装置のひとつとしてのカメラ１，１０は、使用者７およびその他の被写体を撮影するためのものであり、表示装置２上に設置されている。このカメラ１，１０は、後述するようにコンピュータ１００に画像を入力する。図１に示すこの実施例では、カメラ１、１０は表示装置２上に設置されているが、カメラ１を人物用として表示装置２上に設置し、カメラ１０を電子ＯＨＰ用として不図示の原稿台に設置し、原稿読み取り用としてもよい。表示装置２は、コンピュータ１００に制御されて複数の情報源からの情報を表示する。表示装置２の画面には、周知のウインドウ表示システムにより多数のウインドウを開くことができる。本実施例では、図１に示すように、カメラ１から入力された画像を表示するための画像表示用ウインドウ（以下、表示ウインドウ）３が表示装置２の中央に配置され、その背面に、カメラ１０から入力された画像を表示するための表示ウインドウ１１および他のウインドウ５（ここでは時計を表示するウインドウ）が配置されている。
【００１６】
　また、本システムは、表示装置２の画面上の任意の位置を指定または入力するためのマウスコントローラ（以下、マウス）６、コンピュータ１００への情報入力のためのキーボード８、コンピュータ１００へ音声情報を入力するための手段としてのマイク９等を備えている。なお、表示装置２の画面上には、マウス６が示す位置に対応して識別子としてのカーソル１１０が表示される。
【００１７】
　本システムの使用時において、通常、使用者７は、表示装置２の正面に座る。マウス６またはキーボード８等によりカメラ１の電源をオンすると、表示ウインドウ３が表示装置２の画面中央に設定される。カメラ１による撮影画像は、左右反転されて表示ウインドウ３に表示される。これにより、使用者７は、カメラ１の作動状態および自身の映り具合を確認できる。このとき、カメラ１が使用者７の方向に向いていれば、あたかも鏡に写っているようにカメラ１からの画像を表示ウインドウ３によって確認することができる。
【００１８】
　ここで、披写体を使用者７としたときに、カメラ１の向きが、まったく使用者７を向いていないときには、カメラ１を使用者７に向ける必要がある。その場合には、使用者７はマウス６の予め定められたボタン６ａを押す。すると、図２に示すように、カーソル１１０の表示位置に、カメラ１に対するパンニング／チルティング動作、焦点距離、露出およびズーム等を制御するためのカメラ制御用ウインドウ（以下、制御ウインドウ）４が表示される。使用者７は、制御ウインドウ４の所定の位置にカーソル１１０を合わせてマウス６のボタン６ａを押すことにより、上述各種カメラの動作を制御することができる。これらの動作の制御は中央処理装置（以下、ＣＰＵ）１５（図３）によって実行される。このように、カーソル１１０の表示位置に制御ウインドウ４を表示するので、使用者７が表示ウインドウ３を見るための視線の方向６０ａと制御ウインドウ４を見るための視線の方向６０ｂとをほぼ一致させることができる。したがって、視線の移動が僅かで済むようになる。なお、制御ウインドウ４は、マウス６のボタン６ｂを押すことにより画面上から消去することができる。
【００１９】
　またここでは、制御ウインドウ４の表示および消去をマウス６で行ったが、その他の外部入力装置であるキーボード８によるキー入力、マイク９による音声入力で制御するようにしてもよい。
【００２０】
　図３に上述実施例の概略構成ブロック図を示す。図１に示す構成要素と同じ構成要素には同じ符号を付してある。コンピュータ１００内には、サーバ１２、ウインドウマネージャ１３、グラフィックインターフェイス１４、ＣＰＵ１５が備えられており、これらはバス１５に接続されている。そして、サーバ１２には、表示装置２、マウス６、キーボード８がそれぞれ接続されており、これらに対する通信を制御する。ウインドウマネージャ１３は、前述した各ウインドウを制御する。グラフィックインターフェイス１４はカメラ１，１０と接続されており、カメラ１，１０から画像情報を取り込んで出力する。ＣＰＵ１５は各種制御を実行する。なお、ここで示す実施例においては、直接、カメラ１，１０をグラフィックインターフェイス１４に、また、表示装置２、マウス６、キーボード８をサーバ１２に接続させているが、これらはバス１６を介してそれぞれ接続するようにしてもよい。
【００２１】
　ここで、マウス６によって指示されたカーソル１１０が、現在どのウインドウ、さらにはその中のどの位置を示しているかをサーバ１２によって検知し、その検知された結果に基づいて、カーソル１１０がどのウインドウのどの位置にいるかを判断することができる。そして、この判断されたカーソル１１０の位置にしたがって動作を決定する。この動作はＣＰＵ１５によって制御される。ここで、カーソル１１０がカメラ１に対応する表示ウインドウ３の表示しているウインドウ内に存在していたときに、図２に示すように、マウス６のボタン６ａを押すことによって、制御ウインドウ４が、表示装置２の画面上の表示ウインドウ３上に表示される。また、カーソル１１０がカメラ１０に対応する表示ウインドウ１１内に位置していたときに、マウス６のボタン６ａを押すことによって、図４に示すように、制御ウインドウ１７が表示ウインドウ１１上に表示される。
【００２２】
　このようなシステムにおいては、視線の移動量を最も少なくするには、制御ウインドウ４をカーソル１１０で示した位置に表示させるより、位置を指示しなくとも、表示ウインドウ３の中央に表示させるようにした方がよい。しかし、制御ウインドウ４が表示ウインドウ３を隠蔽したのでは、カメラ１の操作に支障がある。そこで、改良例として図４に示すように、制御ウインドウ４を半透明にして表示ウインドウ３の中央に重ねて表示するようにした。これにより、カメラ１の撮影画像を確認しつつ、視線の方向６０ａ，６０ｂをほぼ一致させて制御ウインドウ４を操作することができる。
【００２３】
　さらにまた、表示ウインドウ３の優先順位を最も高く設定し、より優先順位の低いウインドウ、ここでは、制御ウインドウ４が表示ウインドウ３に重なった場合、優先順位の低い制御ウインドウ４が半透明表示されるようにする。
【００２４】
　通常のウインドウ表示システムでは、複数のウインドウが表示されているとき、選択された任意の１つのウインドウが最も前面に配置され、他のウインドウを隠蔽するようになっている。これでは表示ウインドウ３に制御ウインドウ４がオーバーラップした状態で制御ウインドウ４を選択または操作すると、制御ウインドウ４により隠蔽されてしまう。上述したように、表示ウインドウ３にその他のウインドウが重なるとき、他のウインドウを半透明とすることにより、この弊害を解消できる。
【００２５】
　このときの制御方法を図５に基づいて説明する。図５はウインドウマネージャ１３の概略構成を示す図で、特に制御ウインドウ４，１７を半透明表示する回路の構成ブロックを示す。第１のウインドウポップアップ制御回路（以下、第１のポップアップ制御回路）１８は、メモリ３０に記憶された第１の制御ウインドウ４の表示ウインドウ３への出現および消去を制御し、第２のウインドウポップアップ制御回路（以下、第２のポップアップ制御回路）１９は、メモリ３１に記憶された第２の制御ウインドウ１７の第２の表示ウインドウ１１への出現および消去を制御する。第１の重畳量制御回路２０は、第１の制御ウインドウ４をメモリ３２を介して出力される第１の表示ウインドウ３に重畳する量を制御し、第２の重畳量制御回路２１は、第２の制御ウインドウ１７をメモリ３３を介して出力される第２の表示ウインドウ１１に重畳する量を制御する。コントローラ２２は第１、第２の重畳量制御回路２０，２１を制御する。なお、第１，第２の制御ウインドウ４，１７のデータは、バス１６を介してそれぞれＣＰＵ１５（図３）より与えられ、第１，２の表示ウインドウ３，１１のデータは、グラフィックインターフェース１４、バス１６を介してそれぞれカメラ１，１０（図３）より与えられる。
【００２６】
　ここで、使用者７が、マウス６の所定の動作によって、選択された第１の表示ウインドウ３に対応する第１の制御ウインドウ４の出現要求を出したならば、第１のポップアップ制御回路１８は、メモリ３０から読み出した第１の制御ウインドウ４を次段に送出する。送出された第１の制御ウインドウ４は、第１の重畳量制御回路２０に入力され、この第１の重畳量制御回路２０は第１の制御ウインドウ４に対しレベル変換を行い重畳する量を制御する。この重畳量を制御された第１の制御ウインドウ４は、第１の表示ウインドウ３と加算器２３によって加算される。
【００２７】
　またここで、使用者７が、マウス６の所定の動作によって、選択された第２の表示ウインドウ１１に対応する第２の制御ウインドウ１７の出現要求を出したならば、第２のポップアップ制御回路１９は、メモリ３１から読み出された第２の制御ウインドウ１７を次段に送出する。送出された第２の制御ウインドウ１７は重畳量制御回路２１に入力され、この重畳量制御回路２１は第２の制御ウインドウ１７に対してレベル変換を行い重畳する量を制御する。この重畳量を制御された第２の制御ウインドウ１７は、第２の表示ウインドウ１１と加算器２４によって加算される。
【００２８】
　また、加算器２３，２４で加算されたデータは、さらに、メモリ３４から読み出された他のウインドウ５と加算器２５で加算され、その後、バス１６を介してサーバ１２に入力される。
【００２９】
　コントローラ２２は、第１の制御ウインドウ４の重畳量を制御するための重畳量制御回路２０に、どのくらい重畳するかを決定する信号を送出する。第１の制御ウインドウ４の重畳量を決定する際に、第２の表示ウインドウ１１が開かれており、かつ第２の制御ウインドウ１７が出現しているならば、コントローラ２２は、第１の表示ウインドウ３に対応する第１の制御ウインドウ４の重畳量を、第２の表示ウインドウ１１に対応する第２の制御ウインドウ１７の重畳量より大きくし、制御ウインドウ４をはっきり確認できる位の重畳量に制御する。このとき、第２の表示ウインドウ１１に対応する第２の制御ウインドウ１７の重畳量は、第２の表示ウインドウ１１内に表示されるカメラ１０からの画像を妨げないように重畳量が決定される。
【００３０】
　ここで、重畳量の制御については、前記各表示ウインドウ３，１１への加算であるが、加算比率において最終的に出力するための画像のレベルを一定にするために、各表示ウインドウ３，１１のレベル制御においても、第１および第２の重畳量制御量装置２０，２１に対するコントローラ２２からの信号の制御に対して、最終出力のレベルを１とすると、それぞれの表示ウインドウと制御ウインドウとのレベルの総和が１になるように、表示ウインドウ３，１１のレベルも制御される。
【００３１】
　また、重畳量制御装置２０，２１において、全体を１としたときに各制御ウインドウ４，１７の加算ということでは、各表示ウインドウ３，１１へ０〜１の比率で加算される。
【００３２】
　なお、０あるいは１の比率で加算するのであれば、表示ウインドウの出現と制御ウインドウの出現とを切り替えることによって行ってもよい。
【００３３】
　また、本実施例においては、メモリ３０，３１，３２，３３，３４をウインドウマネージャ１３に備えた例で説明したが、別個にバス１６に接続させて設けてもよい。その場合は、必要に応じてバス１６を介してウインドウマネージャ１３に読み込んでくることで対応可能である。
【００３４】
　また、別の制御方法を図６に基づいて説明する。図６はウインドウマネージャ１３の別の構成例を示す図で、特に制御ウインドウ４，１７を半透明表示する回路の構成ブロックを示す。ここで示す構成例は、図５に示す構成と比較して重畳量制御回路の接続位置が異なっているだけでその他の部分は同じである。すなわち、ここでは、第１の表示ウインドウ３、第２の表示ウインドウ１１を重畳するようにしており、この重畳量を制御している。
【００３５】
　ここで、使用者７が、マウス６など特定の動作によって、選択された第１の表示ウインドウ３に対応する第１の制御ウインドウ４の出現要求を出したならば、第１のポップアップ制御回路１８は、メモリ３０から読み出された第１の制御ウインドウ４を次段（加算器２３）に送出する。一方、メモリ３２を介して出力された第１の表示ウインドウ３は、第１の重畳量制御回路２０に入力され、この第１の重畳量制御回路２０は第１の表示ウインドウ３に対しレベル変換を行い重畳する量を制御する。この重畳量を制御された第１の表示ウインドウ３は、第１の制御ウインドウ４と加算器２３によって加算される。
【００３６】
　またここで、使用者７が、マウス６など特定の動作によって、選択された第２の表示ウインドウ１１に対応する第２の制御ウインドウ１７の出現要求を出したならば、第２のポップアップ制御回路１９は、メモリ３１から読み出された第２の制御ウインドウ１７を次段（加算器２４）に送出する。一方、メモリ３３を介して出力された第２の表示ウインドウ１１は重畳量制御回路２１に入力され、この重畳量制御回路２１は第２の表示ウインドウ１１に対してレベル変換を行い重畳する量を制御する。この重畳量を制御された第２の表示ウインドウ１１は、第２の制御ウインドウ１７と加算器２４によって加算される。
【００３７】
　また、加算器２３，２４で加算されたデータは、さらに、メモリ３４から読み出された他のウインドウ５と加算器２５で加算され、その後サーバ１２に入力される。
【００３８】
　以下に、さらに具体的な構成例に関して図７を用いて説明する。図７は、表示ウインドウ３、制御ウインドウ４を出現させるための構成例をブロック図で示しており、表示ウインドウ１１、制御ウインドウ１７を出現させるための構成例は省略しているが、同様の構成にて実現可能である。そして、図５で示した実施例で説明したように、これらのデータを加算して出力することで、表示装置２の画面上に同時にウインドウを開くことができる。
【００３９】
　第１のビデオＲＡＭ（以下、ＶＲＡＭ）４３は、外部入力装置としてのカメラ１から入力された画像データを記憶している。第２のＶＲＡＭ４７はＣＰＵ１５（図３）で生成された制御画面等の表示画面データを記憶する。セレクタ４８，５３は、それぞれメモリ５０，５１内のデータを切り替えて積算器４４，４９に出力する。メモリ５０，５１には「１」およびそれより小さいデータが少なくとも１つ記憶されている。メモリコントローラ５２はＶＲＡＭ４３，４７に対し書き込み、読み出しを制御し、また、セレクタ４８，５３に対してデータ切替のための信号を送出する。
【００４０】
　次に動作について説明する。第１のＶＲＡＭ４３に記憶された画像データ、第２のＶＲＡＭ４７に記憶された表示画面（制御ウインドウ）データがメモリコントローラ５２の命令によって読み出される。第１のＶＲＡＭ４３から読み出されたデータは積算器４４に入力される。この積算器４４は、第１のＶＲＡＭ４３から読み出されたデータと、メモリ５０に記憶されている複数のデータの中からセレクタ４８によって選択された所定のデータ「ｋ」を積算することによって、データのレベルを制御する。すなわち、第１のＶＲＡＭ４３から読み出されたデータはｋ倍されて積算器４４から出力される。セレクタ４８が選択したメモリ５０からのデータｋ＝１の場合には、第１のＶＲＡＭ４３から読み出されたデータのレベルは変化せずに積算器４４から出力される。なお、本実施例では、選択するデータを全てメモリ５０から得る構成を採用しているが、積算する値が１の場合は、第１のＶＲＡＭ４３から読み出されたデータが積算器４４をそのまま通過するようにし、積算する値が１より小さい場合にメモリ５０からデータを得るようにしてもよい。
【００４１】
　第１のＶＲＡＭ４３は、表示の他、圧縮、伝送等を行う際は、ＣＰＵ１５によって読み出しが行なわれることになる。
【００４２】
　一方、メモリコントローラ５２によって読み出された、第２のＶＲＡＭ４７に記憶された制御ウインドウデータは、積算器４９に入力される。このとき、積算器４９は、第２のＶＲＡＭ４７から送出されたデータとセレクタ５３を介して入力されたメモリ５１からのデータを積算することによって、データのレベルを制御する。積算器４９で積算されたデータは加算器４５にて積算器４４で積算されたデータと加算されて、表示装置２（図３）に表示すべきデータが得られる。そして、前述したように、このデータのレベルを１とするため、メモリ５０から得られるデータをｋとした場合に、メモリ５１から得られるデータが（１−ｋ）となるようセレクタ５３がメモリコントローラ５２によって動作させられる。すなわち、メモリ５１には、メモリ５０が備えているデータに対して（１−ｋ）となるデータが記憶されている。
【００４３】
　加算器４５で加算されたデータは、前述の説明同様、バス１６、サーバ１２を介して、表示装置２に表示される。ここでは、１つの画像表示ウインドウおよび制御ウインドウに対応する構成例で説明したが、前述した実施例のように２つの画像表示ウインドウおよび制御ウインドウを備えている場合にも、本実施例の構成を２組と加算器を備えることで対応できる。
【図面の簡単な説明】
【００４４】
【図１】本発明の一実施例を示す正面図で、システムの概略を示している。
【図２】図１に示す実施例で表示装置の画面上に制御ウインドウを開いている状態を示す図である。
【図３】図１に示す実施例の概略構成ブロック図である。
【図４】制御ウインドウを半透明表示させている状態を示す図である。
【図５】ウインドウマネージャの概略構成を示す図である。
【図６】ウインドウマネージャの他の例の概略構成を示す図である
【図７】ウインドウマネージャのさらに具体的な構成例を示す図である。
【図８】従来技術を説明するための図である。
【符号の説明】
【００４５】
　１　カメラ
　２　表示装置
　３　画像表示ウインドウ
　４　カメラ制御ウインドウ
　６　マウス
　７　使用者
　８　キーボード
　９　マイク
　１０　カメラ
　１１　画像表示ウインドウ
　１２　サーバ
　１３　ウインドウマネージャ
　１４　グラフィックインターフェース
　１５　ＣＰＵ
　１６　バス
【図１】
2004140858.tif 000003
【図２】
2004140858.tif 000004
【図３】
2004140858.tif 000005
【図４】
2004140858.tif 000006
【図５】
2004140858.tif 000007
【図６】
2004140858.tif 000008
【図７】
2004140858.tif 000009
【図８】
2004140858.tif 000010